(57)【要約】  本発明は、照明システム（１）を提供し、該照明システムは、格子上に設けられる複数の支持体（１１）へ調節可能に接続される複数のエレメント（１０）を含む。前記複数のエレメント（１０）が光源（Ｌ１）を含む。前記複数のエレメント（１０）のそれぞれがさらに少なくとも２つの調節可能な接続部（１２）を含む。前記調節可能な接続部（１２）が前記対応するエレメント（１０）をそれぞれの支持体（１１）に結合する。本発明はさらに、該照明システムを含む空間、該照明システムを用いる照明プロフィールを提供する方法及び空間に照明プロフィールを定めるための照明システムの使用に関する。
2012524367.tif 000002
【特許請求の範囲】
【請求項１】
照明システムであり、格子上に設けられる複数の支持体へ調節可能に接続される複数のエレメントを含み、
前記複数のエレメントが光源を含み、前記複数のエレメントのそれぞれがさらに少なくとも２つの調節可能な接続部を含み、前記調節可能な接続部が前記対応するエレメントをそれぞれの支持体に結合し、前記対応するエレメントを前記それぞれの支持体に対して調節可能に位置付けする、照明システム。
【請求項２】
請求項１に記載の照明システムであり、前記調節可能な接続部が前記それぞれの支持体の少なくともひとつに沿って動かすように構成される、照明システム。
【請求項３】
請求項１又は２のいずれか一項に記載の照明システムであり、前記複数のエレメントのそれぞれが、前記複数のエレメントのそれぞれの第一の端部から前記それぞれのエレメントの少なくとも第二の端部へ伸び、前記少なくとも２つの調節可能な接続部が前記第一の端部及び少なくとも前記第二の端部に設けられる、照明システム。
【請求項４】
請求項１乃至３のいずれか一項に記載の照明システムであり、それぞれの支持体に対して前記対応するエレメントを調節可能に位置付けするために、対応する調節可能な接続部を作動させるための複数の作動装置を含む、照明システム。
【請求項５】
請求項１乃至４のいずれか一項に記載の照明システムであり、前記調節可能な接続部の少なくとも部分が弾性エレメントを設けられ、前記対応するエレメントがそれぞれの支持体に対して調節可能に位置付けされる際に、対応する支持体間の前記エレメント方向への距離の差を相殺する、照明システム。
【請求項６】
請求項１乃至５のいずれか一項に記載の照明システムであり、前記エレメントが伸張可能なエレメントである、照明システム。
【請求項７】
請求項１乃至６のいずれか一項に記載の照明システムであり、前記複数のエレメントが、バー形状、フレーム形状及びボード形状を含む群から選択される、照明システム。
【請求項８】
請求項７に記載の照明システムであり、前記複数のエレメントの合計の少なくとも部分が実質的に正多角形状を持つ、照明システム。
【請求項９】
請求項１乃至８のいずれか一項に記載の照明システムであり、前記複数のエレメントの少なくとも２つが、単一の支持体と接続し、前記単一の支持体への共通の調節可能な接続部を共有する、照明システム。
【請求項１０】
請求項１乃至９のいずれか一項に記載の照明システムであり、前記光源が少なくともひとつの発光ダイオードを含む、照明システム。
【請求項１１】
請求項１０に記載の照明システムであり、前記ＬＥＤが少なくとも１００ｃｍ２につき一個のＬＥＤの密度、好ましくは１０ｃｍ２につき１個のＬＥＤの密度である、照明システム。
【請求項１２】
請求項１乃至１１のいずれか一項に記載の照明システムを含む、空間。
【請求項１３】
請求項１２に記載の空間であり、前記照明システムが前記空間の天井に付設される、空間。
【請求項１４】
請求項１乃至１１のいずれか一項に記載の照明システムを用いる照明プロフィールを提供する方法であり、前記方法は：
複数のエレメントの少なくとも２つを前記それぞれの支持体に対して調節可能に位置付けすることを含み、好ましくは、前記照明プロフィールを定めることが、前記複数のエレメントの部分の上の光源により生成される光を、複数の作業領域へ集めることを伴う、方法。
【請求項１５】
請求項１乃至１１のいずれか一項に記載の照明システムを用いる照明システムを、空間の照明プロフィールを定めるために用いる方法。
【発明の詳細な説明】
【技術分野】
【０００１】
本発明は、照明システム、該照明システムを持つ空間、該照明システムを用いる照明プロフィールを提供する方法及び該照明プロフィールの使用に関する。
【背景技術】
【０００２】
オフィスでの照明は、通常、異なるタイプの照明システムの組合せである。例えば、蛍光灯照明が前記オフィスの一般用照明として天井に設けられ、机上には、個々の仕事のための個々の作業用照明としてデスクトップランプ、さらにハロゲンスポットライトが壁又は天井に設けられて壁に掛けられた写真などをスポット照明する。このように、光りは機能的及び装飾的の両方の目的で提供されている。照明システムのほとんどのタイプは一回の設置で固定される。デスクトップランプなどのある種の個々のスタンドアロンランプは調節可能なものがある。
【０００３】
該スタンドアロンランプの例がＵＳ特許出願２００３／０１９３８０２Ａ１に開示されている。この文献には、ダイオード光源システムが記載され、これは、ステージ、劇場及び建築用照明であり、複数のフラットパネルを含む。該パネルには複数の発光ダイオードが設けられ、複数のダイオード光ビームが共通の焦点領域に発光するものである。前記パネルを含むハウジングは、中心基部及び環状の縁部を含み、該縁部は、前記中心基部に整列された軸を横切るように設けられる縁部平面中心を持つ環状縁部平面に整列するようにハウジング開口部を定めている。ネジ装置が前記パネルを複数の選択された位置に位置づけし、それぞれのパネルは選択された角度で方向付けされ、グループ化されたダイオードがそれぞれ別のパネルを横切って光ビームを発光する。
【発明の概要】
【発明が解決しようとする課題】
【０００４】
多くの従来技術システムの欠点は、例えば、オフィス照明が利用可能な照明設備より固定され、作業空間、例えばオフィス内のオフィス机が、オフィス空間の効率的使用のためというよりもむしろ該利用可能な照明設備により決められてしまうということである。さらに、ユーザは、例えばデスクトップの空間を占領するデスクトップランプなどの作業用の追加の光源を使用することを望まないであろう。
【０００５】
従来技術の他の欠点は、照明パターンが、一度そのシステムが設置された後は変更することができないということである。従来技術のいくつかの具体的欠点は、それらのダイオード光源システムが単一ビームのみ生成し、柔軟性に欠けるということである。即ち、それは既定の方向での前記単一ビームの広がりを可能とするのみである。従って、該ランプは一般的にオフィス照明には使用できず、例えば一般照明及び作業用照明などの異なるタイプの光りの組合せを適用するための適したオフィス照明には全く使用できない。
【０００６】
室内の照明配置、特に天井の照明配置において、及び特に区分された作業領域を持つ空間での照明配置について柔軟性が求められる。さらに、一度の設置で、しかも、室内の一般的照明と作業領域の仕事用照明のための光強度を持つ領域とを同時に照明することを可能にする、光強度の程度を変更し得る多用途照明装置の提供が望まれている。
【課題を解決するための手段】
【０００７】
該課題を解決するために、本発明は、第一の側面において、照明システムを提供し、該照明システムは、格子上に設けられた複数の支持体に調節可能に接続された複数のエレメントを含み：
前記複数のエレメントが光源を含み；
前記複数のエレメントがさらに、少なくとも２つの調節可能な接続部を含み、前記調節可能な接続部が、前記対応するエレメントをそれぞれの支持体に接続し、前記対応するエレメントをそれぞれの支持体に関して前記対応するエレメントを調節可能に位置付けする。
【０００８】
このようにして、融通性のある照明システムが提供される。光源を含む複数のエレメントのそれぞれが、個々に前記支持体に対して位置付け（調節）され得る。この照明システムを、机のある作業領域とオープン領域及び机の間の通路を有するオフィスに一度設置されると、前記複数のエレメントのいくつかが、例えば前記机に最適な光分布を得るために前記作業領域へ集中光を提供するために位置付けされ、一方前記エレメントの残りが、例えば前記オフィスでの背景照明レベルで照明し及び前記オープン領域と通路とを照明するために位置付けされる。オフィスで机の位置が変更される場合には、前記エレメントはこの変更に適合させるために異なる位置付けがなされ得る。
【０００９】
さらなる利点は、前記照明システムは一つの光りと感知されることができる一方で、それにもかかわらずある領域では他の領域よりもより強く照明されることが可能である（照明プロフィール）。従って、前記照明システムは、広い範囲であってしかも実質的に均一な光源（例えば天井光として）であって、驚くべきことに、ある部分を他の部分よりも強く照明する光源を提供するように構成されることができる。
【００１０】
さらなる利点は、一般照明に加えて、作業用照明のための追加の光源が必要ないということである。本発明による照明システムは、同じ光源を用いてこの両方のタイプの照明を与えることができるからである。本発明の照明システムは、設置される光りの量及び設置される全電力という観点から、これらの両方のタイプの照明に効果的に適合することができる。
【００１１】
本発明の照明システムはさらに、複数の他のエレメントであって光源を含まないエレメントを含むことができる。これによりさらに位置付けの自由度を与えることができる。
【００１２】
さらなる実施態様において、前記調節可能な接続部が、前記それぞれの支持体の少なくともひとつに沿って可動に設けられる。これにより、少なくとも２つの調節可能な接続部の少なくとも一つを持つそれぞれの前記エレメントの位置が、前記それぞれの支持体に関して好都合に適切に位置付けされることができる。前記移動は、例えば、前記支持体に対して前記エレメントを引っ張るか又は押すかによることが例として挙げられる。ひとつの支持体に接続された全てのエレメントを既定の方向に動かすことは、例えば、前記ひとつの支持体へ接続されたエレメントのそれぞれにより生成される傾いた光りビームからなる収束光ビームを提供することに対応する。ひとつの実施態様において、ひとつのエレメントの調節可能な接続部のそれぞれは、それぞれの支持体に沿って可動に構成される。他のひとつの実施態様において、ひとつのエレメントの前記調節可能な接続部は、その支持体に沿って可動に構成され、ひとつのエレメントの前記調節可能な接続部の他のひとつは、そのそれぞれの支持体に沿って固定位置を維持する際にそのそれぞれの支持体に関して回転するように構成される。
【００１３】
当業者には、これらの実施態様は組み合わせることができることは明らかである。
【００１４】
ひとつの実施態様において、前記複数のエレメントはそれぞれのエレメントの第一の端部から前記それぞれのエレメントの少なくとも第二の端部へ伸びており、さらに少なくとも２つの前記調節可能な接続部が前記第一の端部及び少なくとも前記第二の端部に設けられる。前記エレメントの端部に前記調節可能な接続部を設けることで、ひとつのエレメントから次のエレメントへの実質的に繋ぎ目のない移行が可能となる。
【００１５】
ひとつの実施態様において、前記調節可能な接続部は、使用に際に前記照明システムにより生成される照明プロフィールの変更を望む人により手で調節されることができる。
【００１６】
ひとつの実施態様において、前記照明システムは、それぞれの支持体に対して対応するエレメントを調節可能に位置付けするために、対応する調節可能な接続部を作動させるための複数の作動装置を含む。前記作動装置は、例えば、前記支持体に沿って前記調節可能な接続部を動かすために構成され得る。前記作動装置は、例えば（独立して）電気リニアモータ、スクリュギア付きモータ、空圧モータ、リニア圧電作動装置及びターン作動装置などから選択され得る。作動装置を用いることで、非常に正確に位置付けることができ、従って非常に正確に照明プロフィールをきめることができる。作動装置は、多くの手動調節を行うことなく適宜に既定の照明プロフィールを提供するように協働させることができる。前記照明システムはさらに、前記複数の作動装置と電気的に結合した制御装置を含むことができ、前記制御装置は、前記作動装置を制御して、一組の既定条件のひとつによるそれぞれの支持体に対して前記対応するエレメントの位置付けを行う。既定の条件には、例えば前記制御装置のメモリに例えば専門家によりプログラムされたもの、全てのユーザ（例えばオフィス従業者）により選択されたか又はセンサ（昼光センサ、熱センサ、時間センサなど）のセンサシグナルの結果として制御装置により選択されたものなどを含む。
【００１７】
ひとつの実施態様において、少なくともひとつの前記調節可能な接続部は、弾性のエレメントを伴い、前記対応するエレメントがそれぞれの支持体に対して調節可能に位置付けされる際に対応する支持体の間の前記エレメントに沿った方向への距離の変化を相殺する。前記弾性エレメントは、例えば、バネ状エレメントであってよい。前記エレメントと前記支持体との間に弾性エレメントを使用することで、剛直性支持体の使用であっても距離を相殺しその使用を可能にする。前記剛直性支持体はまた、例えば光源からの熱を移動放散させ及び／又は前記光源に電力を供給することができる。
【００１８】
ひとつの実施態様において、前記エレメントは伸張性エレメントである。前記エレメントは従って、それぞれの支持体に対して調節可能に位置付けされる際にその長さの変更に自身適合させる。前記エレメントは、例えば、入れ子状又は弾性エレメントであってよい。
【００１９】
弾性エレメント及び伸張性エレメントを持つ調整可能な接続部の組合せ物もまたひとつの照明システムにおいて適用され得ることは、当業者にはまた明らかであろう。
【００２０】
ひとつの実施態様において、前記複数のエレメントは、バー、フレーム、及びボードを含む群から選択される。バー、スレーム又はボードの間の選択は、要求される、多用途性及び／又は光源及びエレメントの全数及び／又は前記照明システムの全重量に依存する。例えばバーの使用は、多数の個々に調節可能なエレメントが必要な場合に有利である。またバーは、複数の異なるサイズ及び／又は形状の照明システムを例えば異なる部屋又は位置に設けなければならない場合に多用途タイプのエレメントを配置することを可能とし、前記複数の照明システムのそれぞれに一つの種類のエレメントを用いることを可能とする。ボードの使用は、例えば、非常に大きな密度の光源の配置を必要とする際に有利である。例えば、照明システムの全領域に亘る均一な分布である。これにより、光源がひとつの支持体と次の支持体との間に伸びるライン上だけ（比較的狭いバーを用いる場合に該当し得る）でなく、前記格子によりカバーされる他の位置にも配置され得る。他の位置は、例えば、少なくとも３つの隣接する支持体の間に伸びる領域での位置に対応することができる。例えば三角又は正方形の格子のそれぞれの３又は４つの支持体の間に伸びる三角又は正方形の領域である。フレームは実質的に複数の、好ましくは剛直に結合される、例えば三角形、六角形、正方形、星形又は他の適切に形成される「オープン構造」である。その使用は、バーの使用に比較してさらに大きな自由度を持って調節され得るという点で有利である。特にフレームが少なくとも３つの隣接する調節可能な接続部を含み、それらが実質的に調節可能な場合にそうである。フレームは、同じ形状のボードよりもより少量の材料で製造することができ、これもまた有利な店である。というのは少ない材料はコストが低いからである。全てのエレメントは同じタイプであってよい。又は、異なるタイプのエレメントを一つの照明システムに用いてもよい。バーはまた、ストリップとして参照され得る。
【００２１】
バーを用いる場合には、場合により長軸に沿って回転させ得る。回転の自由度は、例えば、０〜１８０度、又は完全に３６０度回転を含む。
【００２２】
さらなる実施態様では、前記複数のエレメントの全数の少なくとも一部が実質的に正多角形状である。多角形状を使用することで、有利なことに、エレメント間の実質的に繋ぎ目のない移行が可能となる。
【００２３】
多角形状が選択され、前記エレメントが前記格子を正方格子とするように構成される。ひとつの実施態様において、多角形の２つ以上の異なるタイプの組合せが適用され得る。好ましい実施態様においては、前記格子は、正三角形、四角形又は六角形のいずれかの正方格子を含む。前記エレメントの端部は正多角形状の角又は位置、例えば前記正多角形状にそった中間位置、により定められ得る。
【００２４】
ひとつの実施態様において、エレメントの端部の調節可能な接続部の数は、正多角形状の角の数よりも少ない。これにより、前記調節可能なエレメントの数が減り、なお大きな自由度を保証する。
【００２５】
ひとつの実施態様において、前記複数のエレメントの少なくとも２つがひとつの支持体へ結合し、前記ひとつの支持体への調節可能接続部を共有する。その結果、エレメントの前記少なくとも２つのエレメントは、前記共通の調節可能な接続部が調節される際に、同時に調節されることとなる。複数のバー形状の例えば６つのエレメントが星状にひとつの支持体に接続され、前記ひとつの支持体への調節可能な接続部を共有する際には、前記共通の調節可能な接続部の調節は焦点化効果を生じることとなる。複数のエレメントの少なくとも２つのエレメントはさらに、隣のエレメント間への滑らかな移行を提供することで有利である。
【００２６】
ひとつの実施態様において、前記光源は、少なくともひとつの発光ダイオード（ＬＥＤ）を含む。ひとつの実施態様において、前記複数のエレメントの少なくともいくつかは、複数のＬＥＤを持つ。
【００２７】
光源として半導体ＬＥＤは、その小型サイズ及び狭いビームの点特に好ましい。
【００２８】
「複数のＬＥＤ」などの「複数の光源」なる用語は、２以上の光源、特に２〜１０００００個の光源、例えば２〜１００００個、４〜３００個、１６〜２５６個の光源を意味する。従って、前記照明システムのエレメントはＬＥＤなどの複数の光源を含むことができる。一般的に、前記エレメントは、又はより具体的には前記照明システムは、ＬＥＤなどの光源を、密度２〜１００００光源／ｍ２、特に２５〜２５００光源／ｍ２で含む。ここで前記密度とは前記照明システムによりカバーされる全領域に対する尺度である。複数のＬＥＤなどの複数の光源は、複数のエレメント上に分布され得る、ということに留意すべきである。用語「照明システム」はまた、複数の照明システムを意味することができる。
【００２９】
光源は、小型白熱ランプ又はファイバチップ又はファイバ不規則体（光りが前記ファイバから出るように構成され；この実施態様は比較的安価であるという利点を持つ）などの光源を含むことができるが、特にＬＥＤ（発光ダイオード）を（光源として）含むことができる。ＬＥＤを用いる具体的な利点は、比較的小型であること、従って多数のＬＥＤを配置することができる、ということである。ＬＥＤを用いる他の利点は、比較的狭いビームを与えることであり、従って前記照明システムにより生成される照明プロフィールを正確に定めることができる、という点である。用語ＬＥＤは、ＯＬＥＤを意味することができるが、特に半導体発光を意味する。特に指示のない限りここでＬＥＤは半導体ＬＥＤを意味するものとする。
【００３０】
ひとつの実施態様において、前記ＬＥＤは、少なくとも１００ｃｍ２につき１ＬＥＤの密度である。さらなる実施態様においては、ＬＥＤは密度１０ｃｍ２につき１ＬＥＤである。ひとつの実施態様においては、複数のエレメントは少なくとも２０個である。ひとつの実施態様において、複数のエレメントは、複数のエレメントは合計少なくとも１００光源を含む。かかる数のエレメント及び／又は光源の数の比較的高い密度により、大きな自由度が得られることとなる。さらに、多数のＬＥＤにより、比較的低出力のＬＥＤの使用を可能とし、発熱の観点から有利である。照明システムで使用されるＬＥＤの数は、ＬＥＤの要求される光りのレベル、タイプ及び特性（例えば光出力レベル、光りの色、発熱特性及び／又は電子操作パラメータなど）及び前記照明システムにより生成照明プロフィールの要求される自由度などに依存する。
【００３１】
ひとつの実施態様において、前記エレメントの光源は、色及び／明るさが制御され得る。これによりさらに光りの質を向上させることができる。色は、例えば一日の時間により、又は室内の作業のタイプにより変更され得る。色及び／又は明るさは、例えばセンサシグナル、日及び日の時間又はユーザの入力に基づいて制御され得る。前記ユーザ入力は、例えば、ユーザにより操作されるリモートコントロールユニットから、ユーザの前記リモートコントロールユニットへの入力に基づいて前記制御装置へ制御シグナルを与えるように構成されるリモートコントロールユニットから与えられ得る。ユーザ入力は、複数の既定の設定又は自由にプログラムされ得る設定（ここでは、ユーザの入力が、例えば光源についてユーザにより与えられた複数の設定から実行される）からひとつを選択することにより与えられ得る。
【００３２】
本発明の第二の側面は、本発明の第一の側面の全ての実施態様による照明システムを含む空間を提供することである。空間には、例えば部屋、オフィス、廊下、通路、製造フロア、又は全ての他の空間であって、該空間の照明システムを全体に又は部分的に再設置することなく照明条件を調節することが予定可能な空間である。特に該空間は個々の照明の要求を持つ複数の作業領域を含む空間である。かかる空間は本発明による照明システムを含み、全ての作業領域が、いかなる照明システムの再設置を行うことなく、デスクトップランプなどの追加の光りの必要もなく、最適な照明がなされる。さらなる実施態様によれば、前記照明システムは、該空間の壁を照明するように構成される。これにより、壁周辺の照明のための追加の照明の必要性をなくし、全空間の整合性のある照明プロフィールを可能とする。ひとつの実施態様において、照明システムは、第一の照明プロフィールから第二の照明プロフィールへ既定に時間間隔にわたり照明プロフィールの変更を提供する。該変更は繰り返し可能であり、２つ以上の照明プロフィールの間の段階的な繰り返しを提供する。
【００３３】
ひとつの実施態様において、前記照明システムは前記空間の天井に設けられる。前記照明システムはまた天井に直接付設されるか、又は天井から吊り下げられる。一般に、前記格子は天井に付設されている。
【００３４】
さらなる側面は、照明システムはさらに制御装置を含み、天井の外又は天井内に組み込まれ、照明システムを制御し及び特に前記照明システムの個々の光源を制御するように構成される。この方法で、例えば、オフィス作業員の数及び彼らの位置及び／又は該部屋内の活動内容（例えば会議及び単独での作業などの違い）に依存して、一日の時間で異なる照明プロフィールを提供することができる。照明システムにより生成される、ひとつ以上の色、オン／オフ状態、強度及びパターン形状などが、前記制御装置により変更され、制御され得る。さらに、一つ以上の色、オン／オフ状態、強度及びパターン形状は、センサのセンサシグナル（タッチ、（昼）光又は適切なセンサ）に依存することができる。ここではセンサは部屋の対象物を感知し、前記制御装置が前記センサシグナルに応じてひとつ以上の色、オン／オフ状態、強度及びパターン形状などを制御するように構成される。
【００３５】
さらなる実施態様において、本発明はセンサ及び制御装置と組み合わせた照明システムを提供明する。前記センサは、前記センサが接近されたり触れられたりする際にセンサシグナルを与え、前記制御装置は、照明システムにより提供される生成された照明プロフィール及びパターン形状の照明パラメータ（ひとつ以上の色、色分布、光り強度、光り強度分布、点滅間隔など）を含む群から選択されるひとつ以上のパラメータを制御するように構成される。パターン及び情報は一般に、複数の光源により与えられる。
【００３６】
本発明の第三の側面は、本発明の第一の側面による照明システムのためのエレメントを提供する。かかるエレメントはかかる照明システムの設置を準備し及び／又は追加のエレメントで前記照明システムを拡張する。本発明の第四の側面は、照明フロフィールの提供の方法を提供する。該方法は、本発明の第一の側面による照明システムを使用し、該方法は、前記それぞれの支持体に対して少なくとも２つの複数のエレメントを調節可能に位置付けることを含む。この方法は照明プロフィールを簡便に変更することを提供する。
【００３７】
好ましい実施態様において、前記照明プロフィールは、複数の作業領域への複数のエレメントの部分上の光源により生成される光りを集中することを伴う。作業領域は、例えば、オフィス内のオフィス机、作業場の作業机又は製造フロアでの個々の作業領域などの対応する。照明プロフィールを定めることはさらに、一般照明光を提供することを伴う。照明プロフィールの提供は、複数のエレメントの部分上の光源により生成される光りを脱集中することを伴うことができる。これにより、拡散的に照明される領域を提供することができる。例えば通路又は例えばオフィスのオープン領域、作業場フロア又は製造フロアなどが対応する。照明プロフィールは、第一の照明プロフィールから第二の照明プロフィールへ既定の時間間隔にわたりゆっくりと変化させることを伴うことができる。
【００３８】
本発明の第五の側面は、本発明の第一の側面による照明システムを、空間の照明プロフィールを定めるための使用を提供する。前記空間は、例えば前記空間のひとつ以上の部分が、複数のエレメントの部分上の光源により生成される光りが集中される。好ましくは複数の前記区間の部分で光りが集中される。光りが集中されたひとつ以上の前記空間の部分は、前記照明システムの使用の異なる時に異なる位置で提供されてよい。前記空間は、例えば該空間のひとつ以上の領域が、前記複数のエレメントの部分上の光源により生成される光りが脱集中されるように提供され、前記空間に拡散的照明を提供する。集中された光を持つひとつ以上の前記空間の部分は、該空間内に例えば作業領域を伴うことができる。ひとつの実施態様において、照明システムはさらに、該空間の壁に方向付けられる光りを含み、該壁を照明するための追加の光源を設けることなく周辺照明を生成する。一般照明及び作業用照明と同じ照明システムで前記壁を照明することは、全空間にわたる照明プロフィールを定める場合に有利となる。
【００３９】
本明細書において、用語「青色光」又は「青色発光」とは具体的には、約４１０〜４９０ｎｍの波長範囲を持つ光りに関する。用語「緑色光」又は「緑色発光」とは具体的には、約５００〜５７０ｎｍの波長範囲を持つ光りに関する。用語「赤色光」又は「赤色発光」とは具体的には、約５９０〜６５０ｎｍの波長範囲を持つ光りに関する。用語「黄色光」又は「黄色発光」とは具体的には、約５６０〜５９０ｎｍの波長範囲を持つ光りに関する。用語「光」とはここでは特に可視光に関する。即ち約３８０〜７８０ｎｍの波長範囲を持つ光りに関する。カーペットから、即ちカーペットタイルのトップ表面から空間へ透過してくる光をここではまた、「カーペット光」とする。
【００４０】
特に規定されない限り、及び適用可能であり及び技術的に可能である限り、「いくつかの要素を含む群から選択される」なる用語はまた、これらの要素の２以上の組合せも含む。
【００４１】
用語「下」、「上」、「トップ」及び「ボトム」とは、照明システムが実質的に水平な表面上に実質的に水平に配置され、前記照明システムのボトム表面が実質的に前記水平表面に平行であり、天井及び部屋から離れるように面する際に得られる、それらの位置又は配置に関する。しかしこれは、該照明システムの他の配置を排除するものではない。例えば、壁に対するなど（垂直）である。
【００４２】
「支持体へ調節可能に接続される複数のエレメントを含む照明システム」なる用語及び類似の句は、実際のエレメント数が実際の支持体の数とは異なる場合も含む。ここで「調節可能に接続される」とは、エレメントと前記支持体との接続が調節可能であることを意味する。
【００４３】
以下、本発明の実施態様が、添付の図面を参照して、例示的目的で記載される。図中同じ参照符号は対応する部品を示す。
【図面の簡単な説明】
【００４４】
【図１】図１は、本発明による照明システムのひとつの実施態様を模式的に示す。
【図２】図２は、本発明による照明システムの実施態様及び種々の変更例・変法例を模式的に示す。
【図３】図３は、本発明による照明システムの実施態様及び種々の変更例・変法例を模式的に示す。
【図４ａ】図４ａは、本発明による照明システムの実施態様及び種々の変更例・変法例を模式的に示す。
【図４ｂ】図４ｂは、本発明による照明システムの実施態様及び種々の変更例・変法例を模式的に示す。
【図５ａ】図５ａは、本発明による照明システムの実施態様及び種々の変更例・変法例を模式的に示す。
【図５ｂ】図５ｂは、本発明による照明システムの実施態様及び種々の変更例・変法例を模式的に示す。
【図６ａ】図６ａは、本発明による照明システムの実施態様及び種々の変更例・変法例を模式的に示す。
【図６ｂ】図６ｂは、本発明による照明システムの実施態様及び種々の変更例・変法例を模式的に示す。
【図６ｃ】図６ｃは、本発明による照明システムの実施態様及び種々の変更例・変法例を模式的に示す。
【図７ａ】図７ａは、本発明による照明システムの実施態様及び種々の変更例・変法例を模式的に示す。
【図７ｂ】図７ｂは、本発明による照明システムの実施態様及び種々の変更例・変法例を模式的に示す。
【図７ｃ】図７ｃは、本発明による照明システムの実施態様及び種々の変更例・変法例を模式的に示す。
【図８ａ】図８ａは、本発明による照明システムの実施態様及び種々の変更例・変法例を模式的に示す。
【図８ｂ】図８ｂは、本発明による照明システムの実施態様及び種々の変更例・変法例を模式的に示す。
【図８ｃ】図８ｃは、本発明による照明システムの実施態様及び種々の変更例・変法例を模式的に示す。
【図９ａ】図９ａは、本発明による照明システムの実施態様及び種々の変更例・変法例を模式的に示す。
【図９ｂ】図９ｂは、本発明による照明システムの実施態様及び種々の変更例・変法例を模式的に示す。
【図９ｃ】図９ｃは、本発明による照明システムの実施態様及び種々の変更例・変法例を模式的に示す。
【図１０ａ】図１０ａは、本発明による照明システムの実施態様及び種々の変更例・変法例を模式的に示す。
【図１０ｂ】図１０ｂは、本発明による照明システムの実施態様及び種々の変更例・変法例を模式的に示す。
【図１０ｃ】図１０ｃは、本発明による照明システムの実施態様及び種々の変更例・変法例を模式的に示す。
【図１１ａ】図１１ａは、本発明による照明システムの実施態様及び種々の変更例・変法例を模式的に示す。
【図１１ｂ】図１１ｂは、本発明による照明システムの実施態様及び種々の変更例・変法例を模式的に示す。
【図１２ａ】図１２ａは、本発明による照明システムの実施態様及び種々の変更例・変法例を模式的に示す。
【図１２ｂ】図１２ｂは、本発明による照明システムの実施態様及び種々の変更例・変法例を模式的に示す。
【図１３ａ】図１３ａは、本発明による照明システムの実施態様及び種々の変更例・変法例を模式的に示す。
【図１３ｂ】図１３ｂは、本発明による照明システムの実施態様及び種々の変更例・変法例を模式的に示す。
【図１４】図１４は、本発明による空間のひとつの実施態様を模式的に示す。
【発明を実施するための形態】
【００４５】
図１は、本発明による照明システムの例示的実施態様を模式的に示す。前記照明システムはオフィス（図示されていない）空間の天井（図示されていない）に付設されている。図１は、オフィス空間でのオフィスフロア６にある、通路７で分離される２つの作業空間２、８を示す。それぞれの作業空間は、例えば椅子４を含む机３を持ち、場合により前記机上にコンピュータ表示装置５を持つ。
【００４６】
照明システム１は、複数の支持体１１を持ち、個々にｓ１１、ｓ１２、ｓ１３、ｓ１４、ｓ１５、ｓ１６、ｓ１７と符号付けされる。支持体１１は格子（図示されていない）上に設けられ天井から下に伸びているか、又は天井に直接付設されているか天井内に組み込まれている。該格子は天井に沿って２次元的に伸びていることが理解されるべきである。該格子は、例えば以下さらに説明するように三角形又は六角形状格子に対応するものであり得る。
【００４７】
エレメント１０は、個々にｅ１１−１２、ｅ１２−１３、ｅ１３−１４、ｅ１４−１５、ｅ１５、−１６、ｅ１６−１７と符号付けされ、前記支持体、ｓ１１、ｓ１２、ｓ１３、ｓ１４、ｓ１５、ｓ１６、ｓ１７に調節可能な接続部１２により調節可能に接続されている。エレメントｅ１１−１２は前記２つの支持体ｓ１１及びｓ１２に接続され、エレメントｅ１２−１３は前記２つの支持体ｓ１２及びｓ１３に接続され、等々である。それぞれのエレメントは少なくともひとつの光源を含み、この例では複数の光源Ｌ１（及びＬ２及びＬ３）が、光ビームＢ１、Ｂ２及びＢ３を与える。光源Ｌ１、Ｌ２、Ｌ３はＬＥＤであり得る。エレメント１０は光源Ｌ１を含むことができ、複数のエレメント１０が設けられることから前記照明システムは複数の光源Ｌ１を含む。それぞれのエレメントは、独立して、複数の光源、例えばＬ１、Ｌ２、Ｌ３等々と示される光源を含む。
【００４８】
前記照明システムは、作業空間２へ作業用照明を以下のように与える。エレメントｅ１１−１２及びｅ１２−１３をそれぞれの支持体ｓ１１、ｓ１２及びｓ１３に対する角度で配置させて、光源から生成されるビームを該作業空間２の方向へ向ける。エレメントｅ１１−１２及びｅ１２−１３からの光りは従って作業空間２に集中される。同様に、前記照明システムは作業空間８へも作業用照明を以下のように与える。エレメントｅ１５−１６及びｅ１６−１７をそれぞれの支持体ｓ１５、ｓ１６及びｓ１７に対する角度で配置させて、光源から生成されるビームを該作業空間８に集中される。前記照明システムはさらに、前記オフィス空間の一部にわたり一般照明を提供する。図１の例では通路７であり、エレメントｅ１３−１４及びｅ１４−１５を接続して実質的にそれぞれの支持体ｓ１３、ｓ１４及びｓ１５に垂直、即ちオフィスフロアと実質的に平行とする。照明プロフィールは照明システム１により以下のように定められ及び／又は調節され得る。即ち、少なくとも２つの前記複数のエレメントｅ１１−１２、ｅ１２−１３、ｅ１３−１４、ｅ１４−１５、ｅ１５−１６、ｅ１６−１７をそれぞれの支持体ｓ１１、ｓ１２、ｓ１３、ｓ１４、ｓ１５、ｓ１６、ｓ１７に対して少なくとも調節可能に位置付けすることによる。照明プロフィールを定めることは、光源Ｌ１、Ｌ２、Ｌ３等により複数のエレメントｅ１１−１２、ｅ１２−１３、ｅ１３−１４、ｅ１４−１５、ｅ１５−１６、ｅ１６−１７上に生成された光りを複数の作業領域５、８に集中することを伴う。
【００４９】
本発明が、模式的に示されるエレメント１０及び／又は支持体１１及び／又は光源Ｌ１−Ｌ３等に限定されないことは当業者において明かであろう。
【００５０】
図２は、照明システム１の垂直断面図での支持体１１（ｓ１１、ｓｌ２、ｓｌ３、ｓｌ４、ｓｌ５）及びエレメント１０  （ｅ１１−１２、ｅ１２−１３、ｅ１３−１４、ｅ１４−１５）の実施態様を模式的に示す。エレメントｅ１１−１２は支持体ｓ１１に対する第一の位置で波線で示され、ひとつの調節可能な接続部１２をエレメントｅ１１−１２のひとつの端部に有し、支持体ｓ１２に対して同じ第一の位置で他の調節可能な接続部１２を他の端部２０で有し、それにより前記エレメントｅ１１−１２を前記支持体ｓ１１及びｓ１２の実質的に垂直に位置付けされる。エレメントｅ１１−１２は支持体ｓ１１に対して第一の位置、及び前記第一の位置とは異なる第二の位置で前記支持体ｓ１２の対して実線で示され、それにより前記エレメントｅ１１−１２を前記支持体ｓ１１及びｓ１２の間にある角度で位置付けされる。同様に、対抗する角度が、エレメントｅ１２−１３について得られる。ここではエレメントｅ１３−１４及びｅ１４−１５が対応する支持体ｓ１３、ｓ１４及びｓ１５に対してそれぞれ前記第一の位置に位置付けされる。
【００５１】
図２はさらに、場合によりある得る作動装置１３を示す。作動装置１３は、調節可能な接続部１２を作動してエレメントｅ１１−１２、ｅ１２−１３、ｅ１３−１４、ｅ１４−１５をそれぞれの支持体ｓ１１、ｓ１２、ｓ１３、ｓ１４、ｓ１５に対して位置付ける。ひとつの実施態様において、それぞれの調節可能な接続部１２はひとつのエレメント１０をひとつの支持体１１への接続に対応する。例えば、調節可能な接続部１２のひとつがエレメントｅ１１−１２を支持体ｓ１１に接続し、他の調節可能な接続部１２のひとつがエレメントｅ１１−１２を支持体ｓ１２に接続し、さらに他の調節可能な接続部１２のひとつがエレメントｅ１２−１３を支持体ｓ１３に接続する等である。他の実施態様において、それぞれの調節可能な接続部１２はひとつの共通の調節可能な接続に対応し、これは２以上のエレメント１０をひとつの支持体１１へ接続する。例えば、調節可能な接続部１２のひとつをエレメントｅ１１−１２とともにｅ１２−１３とも支持体ｓ１２へ接続し、他の調節可能な接続部１２のひとつをエレメントｅ１２−１３とともにｅ１３−１４とも支持体ｓ１３へ接続する、等である。共通の調節可能接続部を使用することで、ひとつの調節可能な接続部毎に必要とする場合に比べてより必要な作動装置の数はより少なくてすむ。また隣接するエレメント間の位置付けがより滑らかとなる。なぜならそれらの位置付けは共通の接続部を介するからである。さらに、ひとつの作動装置１３はまた、複数のエレメント１０を調節可能に位置付けるように構成されることもできる。
【００５２】
図２はさらに、場合により制御装置１４を含むことを示す。該制御装置は作動装置１３を制御する。該制御装置により、前記調節可能な接続部１２の集中的操作作動が、例えば、ユーザにより操作されるリモートコントロールユニットを用いて可能となる。かかる制御装置１４がない場合には、それぞれの調節可能な接続部１２は個々に調節されなければならない。
【００５３】
図３は例示的照明システム１の模式的に示す平面図である。支持体１１は、それぞれ、ｓ１１、ｓ１２、ｓ１３、ｓ１４、ｓ２１、ｓ２２、ｓ２３、ｓ２４、ｓ３１、ｓ３２、ｓ３３、ｓ３４、ｓ４１、ｓ４２、ｓ４３と符号付けされ、六角形状格子に配置されている。この例では、エレメント１０はバー形状のエレメント１００である。エレメント１０は異なる形状であってもよいことが理解されるべきである。バー形状のエレメントｅ１１−１２はひとつの端部で支持体ｓ１１と接続され、他の端部が支持体ｓ１２と接続される。同様にバー形状のエレメントｅ１２−１３はひとつの端部で支持体ｓ１２と接続され、他の端部が支持体ｓ１３と接続される。従って、バー形状のエレメントｅＩＪ−ＫＬはひとつの端部で支持体ｓＩＪと、他の端部で支持体ｓＫＬと接続する。即ち、例えば、Ｉ＝２、Ｊ＝２、Ｋ＝３、Ｌ＝２では、バー形状エレメントｅ２２−３２は支持体ｓ２２とひとつの端部で接続され、他の端部で支持体３２と接続される。
【００５４】
（バー形状の）エレメントは、光源を保持することができ、好ましくは光源はＬＥＤである。複数のエレメントが総計で好ましくは少なくとも２０、より好ましくは少なくとも５０、さらに好ましくは少なくとも１００個のＬＥＤである。前記ＬＥＤは好ましくは少なくとも密度１００ｃｍ２当たり１個、好ましくは５０ｃｍ２当たり一個、さらに好ましくは２０ｃｍ２当たり１個、さらに好ましくは１０ｃｍ２当たり１個、さらに好ましくは５ｃｍ２当たり１個であり、前記密度は前記照明システムの領域に対して測定される。
【００５５】
図４ａは、図２及び図３の照明システムの第一の変形例である。この変形例では、六角形ユニットセルｈ２２、ｈ２３、ｈ３２がそれぞれの支持体ｓ２２、ｓ２３、ｓ３２の周りで定められている。それぞれのユニットセルの３つのエレメントは共通の調節可能な接続部を共有し、その例示実施態様は以下の図でさらに示される。例えばユニットセルｈ２２、エレメントｅ１１−２２、ｅ２２−２３及びｅ２２−３１は共通の調節可能な接続部ｓ２２への接続を共有し、それらの端部は支持体ｓ２２に接続される。これにより、前記３つのエレメントｅ１１−２２、ｅ２２−２３、ｅ２２−３１上の光源から生成される光りの六角形状セルｈ２２の下の点（例えばオフィス空間内で実質的にその下に位置する机など）での光りの集中程度を、単一の調節可能な接続のみの位置を調節することで、調節可能にする。さらに、隣接する六角形状セルｈ２２、ｈ２３及びｈ３２は重なり前記照明システムの下の滑らかな照明プロフィールを提供する。前記それぞれの支持体ｓ１１、ｓ２３及びｓ３１に対する同じ位置でエレメントｅ１１−１２、ｅ２２、−２３及びｅ２２−３１の端部を調節することで、その結果集められた光は前記照明システムへ正しい角度で下向きに向けられる。例えば図１でのエレメントｅ１１−１２及びｅ１２−１３について示された方向である。エレメントｅ１１−２２、ｅ２２−２３及びｅ２２−３２の他の端部を、それぞれの支持体ｓ１１、ｓ２３、ｓ３１に対して異なる位置に調節することで、その結果集められた光は、前記照明システムに対してある角度で下方向に向けられることができる。得られる集められた光の方向は、従って単一の既定の方向には限定されない。
【００５６】
図４ｂは、図２及び図３の照明システムの第二の変更例である。この変更例では、六角形ユニットセルｈ２２、ｈ２３、ｈ３２が支持体ｓ２２、ｓ２３、ｓ３２の周りに定められる。それぞれのユニットセルの６つのエレメントは共通の調節可能な接続部を共有する。例えば、ユニットセルｈ２２、エレメントｅ１１−２２、ｅ２１−２２、ｅ２２−２３、ｅ２２−３１、ｅ２１−２２、ｅ１１−２２は支持体ｓ２２への調節可能な接続部を前記支持体ｓ２２へ接続する端部と共有する。これにより、６つのエレメントｅ１１−２２、ｅ２１−２２、ｅ２２−２３、ｅ２２−３１、ｅ２１−２２、ｅ１１−２２上の光源から生成される光りの、前記六角形状セルｈ２２の下の点（例えばオフィス空間内で実質的にその下に位置する机など）への集中の程度を、単一の調節可能な接続のみの位置を調節することで、調節することが可能となる。隣接する六角形状セルはここでは機械的に結合されている。例えばセルｈ２２及びｈ２３はエレメントｅ２２−２３を介して結合され、隣接するセル間のスムーズな移行を与え従って照明システム全体を通じて滑らかな移行を与えることとなる。
【００５７】
好ましくは、照明システム１の複数のエレメントは、バー、フレーム及びボードを含む群から選択される。例が以下の図で与えられる。バーは、例えば、直線上又は曲線状でよく、フレーム及びボードは例えば平面又は曲げられていてよい。
【００５８】
図５ａ及び５ｂは、エレメント１０の第一の変形例であり、それぞれの支持体１１への調節可能な接続部１２を持つ（支持体として１０２ａ、１０２ｂとして示される）。図５ａ及び５ｂはエレメント１０をバー形状のエレメント１００として示され、光源Ｌ１、Ｌ２、Ｌ３を持つ。バー形状のエレメント１００は、第一の端部２０、１０６ａから第二の端部、１０６ｂへと伸びる。調節可能な接続部１２はそれぞれの端部２０に設けられる。この例ではそれぞれの調節可能な接続部１２は弾性エレメント２２及び可動部２４を含む。第一の端部１０６ａは弾性エレメント２２、１０４ａと結合され、その支持体１０２ａへ接続されている。弾性エレメント１０４ａ及び可動部１０８ａは調節可能な接続部１２を支持体１０２へ配置させる。可動部１０８ａは、前記支持体１０２ａに沿って調節可能に位置付けされることができる。第二の端部１０６ｂは弾性エレメント２２、１０４ａと結合され可動部２２、１０８ａはそのそれぞれの支持体１０２ｂへ接続される。弾性エレメント１０４ｂ及び可動部１０８ａは前記調節可能な接続部１２が支持体１０２ｂへ配置させる。可動部１０８ｂ及び１０８ａをそれぞれの支持体１０２ａ及び１０２ｂに沿って異なる位置へ動かすことで、支持体１０２ａ、１０２ｂの両方に対して前記バー形状エレメント１００の角度αを調節することが可能となる。
【００５９】
好ましくは、複数のエレメントの合計の少なくとも一部は、実質的に正多角形状を持つ。例は以下の図面に示される。明確にするために、エレメント１０、端部２０、弾性エレメント２２、可動部２４及び支持体１１は、具体的に及び個別に参照番号付きで示される。例示される、一般的参照番号１０、２０、２２、２４、１１及び具体的個別の番号との関係は、上記図５ａ及び５ｂの説明、即ち対応する例中のそれらの記載から明かであろう。
【００６０】
図６ａ及び６ｂは、エレメント１０の第二の変形例を示し、それぞれの支持体１１、３つのそれぞれの支持体１０２ａ、１０２ｂおよび１０２ｃ、へのその調節可能な接続部１２を持つ。図６ａ及び６ｂは三角形状エレメント２００の形状のエレメント１０を示し、複数の光源Ｌ１、Ｌ２、Ｌ３等を支持しその表面に分布されている。前記三角形状エレメント２００は、第一の端部２０６ａから、対応する三角形の角であり第二の端部２０６ｂ及び第三の端部２０６ｃへ伸びるボードを形成し得る。前記第１の端部２０６ａは、弾性エレメント２０４ａ及び可動部２０８ａによりそれぞれの支持体１０２ａへ結合されている。弾性エレメント２０４ａ及び可動部２０８ａは従って前記調節可能な接続部１２を支持体１０２ａへ配置する。同様に第二の端部２０６ｂおよび第三の端部２０６ｃは調節可能な接続部１２と接続され、これは弾性エレメント２０４ｂ及び可動部、２０４ｃがそれぞれの支持体１０２ｂ、１０２ｃへ結合されている。３つの端部２０６ａ、２０６ｂ、２０６ｃでの調節可能な接続部１２は、従って、支持体１０２ａ、１０２ｂ、１０２ｃに対して、可動部２０８ａを支持体１０２ａ、１０２ｂ、１０２ｃに沿って動かすことで、位置の調節を行うことができる。３つの可動部を３つのそれぞれの支持体に沿って異なる位置へ動かすことで、３つの支持体の対して三角形工エレメント２００の固体角度Ωが調節可能となる。
【００６１】
図６ｃは、三角形状エレメント２１０の形状のエレメント１０の他の実施態様を示す。三角形状エレメント２１０は三角形状２００とは次の点で異なる。端部が今回は三角形状の側部に沿って位置することである。これはすなわち、第一の端部２１６ａは三角形の側部に沿う中間位置に対応する。前記第一の端部２１６ａは弾性エレメント２１４ａ及び可動部によりそれぞれの支持体１０２ａに結合される。他の端部２１６ａ、２１６もまた設けられ、他の２つの三角形の側部の中間位置に対応し、それぞれの支持体１０２ｂ及び１０２ｃへ、弾性エレメント２１４ｂ、２１４ｃ及び対応する可動部（図示されていない）により結合される。
【００６２】
ボードの代わりに、フレームもまた適用され得る。フレームは複数のバー（一般的には３以上）からなりお互いに結合されている（図７ｂ）。
【００６３】
図７ａは、調節可能な接続部１２がそれぞれの支持体１０（１０２ａ、１０２ｂ及び１０２ｃと示される）へ接続されているエレメント１０の変形例を示す。図７ａはエレメント１０を六角形状エレメント３００の形で示し、複数の光源Ｌ１、Ｌ２、Ｌ３を持ちその表面に分布する。六角形状エレメント３００は、第一の端部３０６ａから、六角形状の６つのうちの３つの角に対応する第二の端部３０６ｂ及び第三の端部３０６ｃへと伸びるボードを形成する。第一に端部３０６ａは弾性エレメント３０４ａ及び可動部（図示されていない）により対応する支持体１０２ａに結合される。弾性エレメント３０４ａ及び可動部は従って、調節可能な接続部１２を支持体１０２ａに配置する。同様に、第二の端部３０６ｂ及び第三の端部３０６ｃは、弾性エレメント３０４ｂ及び可動部３０４ｃを含む調節可能な接続部によりそれぞれの支持体１０２ｂ、１０２ｃへ結合される。３つの端部３０６ａ、３０６ｂ、３０６ｃでの調節可能な接続部１２は従って、支持体１０２ａ、１０２ｂ、１０２ｃに対して、可動部を支持体１０２ａ、１０２ｂ、１０２ｃに沿って動かすことで、その位置を調節することができる。３つのそれぞれの支持体の沿って異なる位置へ可動部を動かすことにより、六角形状エレメント３００の３つの支持体に対する固体角度Ωを調節することができる。
【００６４】
図７ｂは、六角形状エレメント３１０の形の他のエレメント１０の実施態様を示す。六角形状３１０は、六角形状３００とは、ボードを形成せず、その代わりフレームを形成する、点で異なる。フレームを用いることは、同じサイズのボードを形成するよりも材料が少ないという点で有利である。
【００６５】
図７ｃはまた、エレメント１０の他の実施態様であり、六角形状３２０の形である。六角形状３２０は六角形状３００とは、端部３２６ａ、３２６ｂ、３２６ｃが今回は六角形状の６つの側部の３つの沿って位置付けされている点で異なる。
【００６６】
図８ａはエレメント１０の第四の変形例であり、それぞれの支持体１１（支持体１０２ａ及び１０２ｂと示される）調節可能な接続部１２である。図８ａはエレメント１０が正方形状エレメント４００の形で示し、複数の光源Ｌ１、Ｌ２、Ｌ３をその表面に分布する。例えば正方形格子の形で使用され得る。正方形状エレメント４００は、第一の端部４０６ａから、その正方形状の４つのうちの２つの角に対応する第二の端部４０６ｂへ伸びたボードを形成する。第一の端部４０６ａは、弾性エレメント４０４ａ及び可動部（図示されていない）によりそのそれぞれの支持体１０２ａへ結合される。弾性エレメント４０４ａ及び可動部は従って、調節可能な接続部１２を支持体１０２ａへ配置する。同様に、第二の端部４０６ｂは調節可能な接続部１２へ接続され、弾性エレメント４０４ｂ及び可動部を持ち、そのそれぞれの支持体１０２ｂへ結合される。２つの端部４０６ａ及び４０６ｂでの調節可能な接続部は従って、支持体１０２ａ及び１０２ｂに沿って可動部を動かすことで、支持体１０２ａ及び１０２ｂに対する位置を調節することができる。従って支持体１０２ａおよび１０２ｂに沿って異なる位置に可動部を動かすことで、支持体１０２ａ及び１０２ｂに対する正方形状エレメント４００の角度αが調節可能となる。
【００６７】
図８ｂは、正方形状エレメント４１０の他の実施態様を示す。正方形状４１０は正方形状２００とは、今回は、正方形の４つの角の全てが、端部４１６ａ、４１６ｂ、４１６ｃ、４１６ｄであり、調節可能な接続部によりそれぞれの支持体１０２ａ、１０２ｂ、１０２ｃ、１０２ｄに対応する点で、異なる。４つのそれぞれの支持体に沿って４つの可動部を異なり位置に動かすことで、正方形状エレメント４００の４つの支持体に対する固体角Ωを調節可能とする。
【００６８】
図８ｃは正方形状エレメント４２０の他の実施態様である。正方形状エレメント４２０は、正方形状４００とは、端部４２６ａ及び４２６ｂが今回は、正方形状の４つのうちの２つの側部に位置するという点で異なる。その位置は、正方形状の対応する側部に沿って中間に位置することができる。描かれている例ではしかし、その位置は中間位置と角の間に位置である。
【００６９】
さらなる側面及び他の実施態様は、以下エレメント１０がバー形状エレメント１００の形で記載される。これらの側面は上で説明した他の形状、例えば三角形状２００、２１０、六角形状３００、３１０、３２０及び正方形状４００、４１０、４２０にも同様に適用され得ることは理解されるべきである。
【００７０】
図９ａ、９ｂ及び９ｃは、それぞれの支持体への調節可能な接続部を持つ他の側面の第一の実施態様を示す。図９ａ〜９ｃは剛体エレメント１００を示し、３つの光源Ｌ１、Ｌ２及びＬ３を持つ。剛体エレメント１００は、少なくとも第一の端部１０６ａから第二の端部１０６ｂへ伸びている。第一の端部１０６ａは、弾性エレメント１０４ａ及び可動部１０８ａと結合されてそれぞれの支持体１０２ａへ結合される。弾性エレメント１０４ａ及び可動部１０８ａは従って、調節可能な接続部を支持体１０２ａへ配置する。可動部１０８ａは支持体１０２ａに沿って調節可能に位置付けされる。第二の端部１０６ｂは、弾性エレメント１０４ｂ及び可動部１０８ｂと結合されてそれぞれの支持体１０２ｂへ結合される。弾性エレメント１０４ｂ及び可動部１０８ｂは従って、調節可能な接続部を支持体１０２ｂへ配置する。可動部１０８ｂは支持体１０２ｂに沿って調節可能に位置付けされる。可動部１０８ａ及び１０８ｂを支持体１０２ａ、１０２ｂに沿って異なる位置に動かすことで、バー形状のエレメント１００を両方の支持体に対する角度を調節することができる。剛体エレメントは長さＡを持つ。両方の支持体に対する第一の位置において、弾性エレメント１０４ａは長さＢを持つ（図９ｂ参照）。弾性エレメント１０４ａ、１０４ｂを支持体に沿って相互に異なる位置へ動かすと、弾性エレメント１０４ａ、１０４ｂは長さＣへと伸ばされ（図９ｃ）、従ってエレメント１００に沿った方向での２つの支持体間の距離の変更を可能にする。
【００７１】
図１０、１０ｂ及び１０ｃは、それぞれの支持体への調節可能な接続部を持つ他の側面のエレメントの第二の実施態様を示す。図１０ａ〜１０ｃは、伸張可能なエレメント１１０を示し、光源Ｌ１、Ｌ２、Ｌ３を持つ。調節可能なエレメント１１０は、例えば折りたたみ式エレメント又は弾性エレメントである。両方の支持体に対して第一の位置では、それぞれの支持体に沿って相互に異なる位置へ調節可能な接続部を持つ伸張可能なエレメント１１０を動かすことで、慎重可能なエレメント１１０は長さＤへ延ばされ（図１０ｃ）、従ってエレメント１１０に沿った方向での２つの支持体間の距離の変化を可能にする。
【００７２】
図１１ａ及び１１ｂは、隣接エレメント１０の調節可能な接続部の他の実施態様を示す。図１１ａ及び１１ｂはまた、バー形状エレメント（参照番号１００及び１２０）を示すが、異なる形状のエレメントもそれに代えてまたは同様に適用可能であることは理解されるべきである。図１１ａは、共通の調節可能な接続部２５を示す。共通の調節可能な接続部２５は、共通の可動部１０８ｂとしての可動部２４及び２つの弾性エレメント２２（それぞれ１０４ｂ及び１２４ｂと符号付けされている）を含む。共通の調節可能な接続部２５は、両方のエレメント１００及び１２０に、弾性エレメント１０４ｂおよび１２４ａにより前記格子に設けられた支持体１０２へ結合される。可動部１０８ｂを支持体に沿って動かすことで、両方のエレメント１００及び１２０を支持体１０２に対して同時に調節する結果となる。図１１ｂは、調節可能な接続部２２が、隣接するエレメント１００及び１２０を、それぞれの弾性エレメント２２（１０４ｂ及び１２４ａと符号付けされている）を支持体１０２へ結合する独立した調節可能な接続部の形で示す。示される例では、支持体１０２は、２つの支持体１０２Ｌ及び１０２Ｒを近距離で含む。可動部１０８ｂ及び１２８ａを支持体に沿って動かすことで、支持体１０２に対して、両方のエレメント１００、１２０の独立して調節することが可能となる。
【００７３】
図１２ａ及び１２ｂは、調節可能な接続部１２の実施態様の上面及び側面図を示す。該調節可能な接続部１２は調節可能な接続部部材８０の形であり支持体１１（ここでは１０２ｂと符号付けされる）へ接続される。図１２ａ及び１２ｂの調節可能な接続部部材８０は、弾性エレメント及び可動部の機能を組み合わせたひとつの装置として提供され得る。図１２ａ及び１２ｂの調節可能な接続部部材８０は３つのエレメント１０（ここでは１００ａ、１００ｂ及び１００ｃと符号付けされている）を支持体１０２ｂと結合する。支持体１０２ｂは、調節可能な接続部部材８０の中の中心部９０にある穴を通じて伸びてる。調節可能な接続部部材８０は、外側の星型の輪郭８１、内側の星型輪郭８２及びバネエレメント８３を含む。内側星型輪郭８２は３つの脚を持ちこれらは中心９０部をバネエレメント８３を介して外部星型輪郭８１と結合する。調節可能な接続部部材８０が支持体に沿って動くと、バネエレメント８３は従って、それぞれの支持体に伴うエレメントの角度の変化による距離の変化を与える。さらに、バネエレメント８３は、内部星型輪郭８２に対する外側星型輪郭８１の回転をある程度可能とし、軸９１の回りのある程度の回転運動に伴う距離をさらに相殺することができる。軸９２周りの更なる回転運動により変化は、エレメント１００ａ及び隣接する調節可能な接続部部材８０との間の角度変化の原因となる。
【００７４】
図１３ａ及び１３ｂは、ターンテーブル装置５００の形での調節可能な接続部１２の上面図及び側面図であり、剛直部分のみを使用し支持体１１へ接続される。ターンテーブル５００は、ターンテーブル５０２を含み、支持体１０２ｂに対応する中心軸５０２の回りを回転可能である。ターンテーブル５０２は、ユーザ又はモータにより操作されていない際に偶然回転することを防止するための摩擦的に軸５０２を作用させる。ターンテーブル装置５００のターンテーブル５０２は、３つのエレメント１０（個々、１００ａ、１００ｂ、１００ｃと符号付けされている）と結合され、これらはまた、前記格子上の隣接する支持体１１で、類似のターンテーブル作動装置５００ａ、５００ｂ及び５００ｃと結合する。前記エレメントは、光源Ｌ１、Ｌ２．．．．Ｌ３を含む。エレメント１００ａはボールソケットジョイント５０６ａを端部２０で有し、スタンド５０８ａを介してターンテーブル５０４へ結合する。他のエレメント１００ｂ、１００ｃも同様にターンテーブル５０４に結合される。図１３ａは、スタンド５０８ｂ及び５０８ｃの対応する位置を示す。ターンテーブル５０２が軸５０２周りに方向５１２へ回転すると、ターンテーブル５０４は軸５０２に沿って、例えば図１３ｂで５０４’と示される他の位置へ動く。軸５０２は、例えば比較的大きいピットを持つネジを用いて外部に配置され、回転運動を支持体１０２ｂに沿った直線運動へ変換する。エレメント１００ａの相対的な位置は従って変更され得る。ターンテーブル５０４’の他の位置は、エレメント１００ａの他の相対的位置（図１３ａ及び１３ｂでは１００ａ’として、及び点線で示される）に伴うものである。ターンテーブル５０４の回転は従って、支持体１０２ｂに対するエレメント１００ａの相対的角度を変えるだけでなく、図１３ｂで投影距離Ａ１及びＡ２として示されるように、エレメントの他の端部とボールソケットジョイント５０６ａ間の投影距離をも変更する。投影距離のこの変更は相対角の変更を相殺し、従って、剛直性部品でのみの調節可能な接続部を提供する。ターンテーブル作動装置５００、５００ａ、５００ｂ、５００ｃは、それぞれの作動装置（例えば軸５０２上での圧電作動装置、空気圧作動装置、又はモータ作動装置を含む）で操作される。作動装置は作動装置の正確な位置付けのため、従ってエレメント１００ａ、１００ｂ、１００ｃの相対的位置付けのための制御装置で制御されてよい。図１３ａで示されるように、ターンテーブルは、例えば円形ディスク又は三角形状エレメントとして配置されてよい。他の形状もまた適用可能であることは理解されるべきである。
【００７５】
図１４は本発明の照明システムを含む空間１０００を示す。照明システム１は空間の天井に付設されている。机２及び椅子４が空間に配置される。机２及び椅子４の位置は変更され得る。また、机及び椅子の数も変更され得る。例えば空間がリビングルームであり場合に訪問者のために対応し、又は空間がオフィス空間である場合に作業空間を追加するためである。
【００７６】
照明システム１はさらに、制御装置１００４と結合されていてよい。これは照明システム１の外部装置として天井１００２に設けられ、又はシステムに組み込まれて設けられてよい。制御装置１００４は特にシステムを制御するように構成される。より具体的には照明システムの異なるエレメントの個々の光源を制御する、又は照明システム１の単一のエレメント上に個々の光源を制御するように構成される。ひとつ以上の色、パターン形状、オン／オフ状態及び照明システム１の光出力強度が、該制御装置により変更され得る。
【００７７】
さらに、照明システム１により生成される照明プロフィールのひとつ以上の色及びパターン形状は、センサ１００６（接近センサ、火災センサ、煙センサ、熱センサ等々などの）のセンサシグナルに依存することができる。ここでセンサは照明システム１で照明され得る領域上の又は領域内の対象物を検知するように、又は煙及び熱からなる群から選択される特徴を検知するように構成される。また、制御装置１００４は照明システム１により生成される照明プロフィールのひとつ以上の色及びパターン形状を、前記センサシグナルとは独立して制御するように構成される。従って、他の実施態様においては、照明システムはさらに接近センサ又は煙又は熱センサなどのセンサを含むことができ、照明システム１の外部に構成されることができるが、また照明システム１に組み込んで設けることも可能である。用語センサはまた、複数のセンサを意味する。かかる複数のセンサは、例えば、異なる位置での同じパラメータ（ユーザのタッチなど）又は異なるパラメータ（それぞれ、ユーザのタッチ及び煙など）を検知するように配置される。
【００７８】
図においては、電気ケーブルなどの関連の少ないものについては描かれていない。
【００７９】
用語「実質的」とは、例えば「実質的に平面」又は「実質的にからなる」等々として使用され、その意味は当業者には明確である。実施態様において、副詞の実質的は、削除され得る。適用可能な場合、「実質的には」はまた、「完全に」、「全て」、「全部」等の実施態様を含む。適用可能な場合、用語「実質的に」は、９０％以上、例えば９５％以上、特に１００％を含む９９％以上、に関連する。用語「含む」、「持つ」には、「含む」が「からなる」を意味する実施態様を含む。
【００８０】
さらに記載及び特許請求の範囲中の用語、第一の、第二の、第三の等は、類似の要素を区別するために使用されるものであり、連続的又は経時的順序を意味するものではない。かかる使用される事項は適切な状況で交換可能なものであり、ここで記載される本発明の実施態様は、ここで記載され説明された順序とは異なる順序でも実施可能であるということは、理解されるべきである。
【００８１】
ここで使用される装置は、操作中に記載された他の装置でもあり得る。本発明は操作方法又は操作の装置に限定されるものではないことが当業者に明らかである。
【００８２】
留意すべきは、上記実施態様は本発明を説明するためのものであり、限定するものではないということ、及び当業者は添付の特許請求の範囲から離れることなく他の多くの実施態様を設計することができるということ、である。特許請求の範囲において、括弧内の全ての参照符号は特許請求の範囲を制限するように解釈されるものではない。動詞「含む」およびその関連用語は請求項に記載された以外に要素又はステップを除外するものではない。用語「及び／又は」は列記された事項のひとつ又はそれ以上の全ての組み合わせを含む。用語「ひとつの」が先行する要素は該要素が複数の場合を除外しない。用語「前記」が先行する事項は該要素が複数である場合を除外しない。本発明はいくつかの別々の要素を含むハードウェアの手段により実施可能であり、また適切にプログラムされたコンピュータにより実施することが可能である。いくつかの手段を列記する装置に関する請求項では、これらの手段のいくつかはひとつの事項及び同じ事項のハードウェアにより実施可能である。ある手段が相互に異なる従属請求項に引用されているという事実だけでは、これらの手段の組み合わせがなんら利点を奏するものではないということを示すものではない。
【図１】
2012524367.tif 000003
【図２】
2012524367.tif 000004
【図３】
2012524367.tif 000005
【図４ａ】
2012524367.tif 000006
【図４ｂ】
2012524367.tif 000007
【図５ａ】
2012524367.tif 000008
【図５ｂ】
2012524367.tif 000009
【図６ａ】
2012524367.tif 000010
【図６ｂ】
2012524367.tif 000011
【図６ｃ】
2012524367.tif 000012
【図７ａ】
2012524367.tif 000013
【図７ｂ】
2012524367.tif 000014
【図７ｃ】
2012524367.tif 000015
【図８ａ】
2012524367.tif 000016
【図８ｂ】
2012524367.tif 000017
【図８ｃ】
2012524367.tif 000018
【図９ａ】
2012524367.tif 000019
【図９ｂ】
2012524367.tif 000020
【図９ｃ】
2012524367.tif 000021
【図１０ａ】
2012524367.tif 000022
【図１０ｂ】
2012524367.tif 000023
【図１０ｃ】
2012524367.tif 000024
【図１１ａ】
2012524367.tif 000025
【図１１ｂ】
2012524367.tif 000026
【図１２ａ】
2012524367.tif 000027
【図１２ｂ】
2012524367.tif 000028
【図１３ａ】
2012524367.tif 000029
【図１３ｂ】
2012524367.tif 000030
【図１４】
2012524367.tif 000031
【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
照明システムであり、格子上に設けられる複数の支持体へ調節可能に接続される複数のエレメントを含み、
前記複数のエレメントが光源を含み、前記複数のエレメントのそれぞれがさらに少なくとも２つの調節可能な接続部を含み、前記調節可能な接続部が前記対応するエレメントをそれぞれの支持体に結合し、前記対応するエレメントを前記それぞれの支持体に対して調節可能に位置付けされ、
前記複数のエレメント全数の少なくとも部分が実質的に正多角形状であり、及び／又は前記複数のエレメントが共にオープン構造を形成し、前記正多角形状及びオープン構造が少なくとも３つの調節可能な接続を含み、実質的に個々に調節可能である、照明システム。
【請求項２】
請求項１に記載の照明システムであり、前記調節可能な接続部が前記それぞれの支持体の少なくともひとつに沿って動かすように構成される、照明システム。
【請求項３】
請求項１又は２のいずれか一項に記載の照明システムであり、前記複数のエレメントのそれぞれが、前記複数のエレメントのそれぞれの第一の端部から前記それぞれのエレメントの少なくとも第二の端部へ伸び、前記少なくとも２つの調節可能な接続部が前記第一の端部及び少なくとも前記第二の端部に設けられる、照明システム。
【請求項４】
請求項１乃至３のいずれか一項に記載の照明システムであり、それぞれの支持体に対して前記対応するエレメントを調節可能に位置付けするために、対応する調節可能な接続部を作動させるための複数の作動装置を含む、照明システム。
【請求項５】
請求項１乃至４のいずれか一項に記載の照明システムであり、前記調節可能な接続部の少なくとも部分が弾性エレメントを設けられ、前記対応するエレメントがそれぞれの支持体に対して調節可能に位置付けされる際に、対応する支持体間の前記エレメント方向への距離の差を相殺する、照明システム。
【請求項６】
請求項１乃至５のいずれか一項に記載の照明システムであり、前記エレメントが伸張可能なエレメントである、照明システム。
【請求項７】
請求項１乃至６のいずれか一項に記載の照明システムであり、前記複数のエレメントが、バー形状、フレーム形状及びボード形状を含む群から選択される、照明システム。
【請求項８】
請求項１乃至７のいずれか一項に記載の照明システムであり、前記複数のエレメントの少なくとも２つが、単一の支持体と接続し、前記単一の支持体への共通の調節可能な接続部を共有する、照明システム。
【請求項９】
請求項１乃至８のいずれか一項に記載の照明システムであり、前記光源が少なくともひとつの発光ダイオードを含む、照明システム。
【請求項１０】
請求項９に記載の照明システムであり、前記ＬＥＤが少なくとも１００ｃｍ２につき一個のＬＥＤの密度、好ましくは１０ｃｍ２につき１個のＬＥＤの密度である、照明システム。
【請求項１１】
請求項１乃至１０のいずれか一項に記載の照明システムを含む、空間。
【請求項１２】
請求項１１に記載の空間であり、前記照明システムが前記空間の天井に付設される、空間。
【請求項１３】
請求項１乃至１０のいずれか一項に記載の照明システムを用いる照明プロフィールを提供する方法であり、前記方法は：
複数のエレメントの少なくとも２つを前記それぞれの支持体に対して調節可能に位置付けすることを含み、好ましくは、前記照明プロフィールを定めることが、前記複数のエレメントの部分の上の光源により生成される光を、複数の作業領域へ集めることを伴う、方法。
【請求項１４】
請求項１乃至１０のいずれか一項に記載の照明システムを用いる照明システムを、空間の照明プロフィールを定めるために用いる方法。
【手続補正２】
【補正対象書類名】明細書
【補正対象項目名】０００７
【補正方法】変更
【補正の内容】
【０００７】
該課題を解決するために、本発明は、第一の側面において、照明システムを提供し、該照明システムは、格子上に設けられた複数の支持体に調節可能に接続された複数のエレメントを含み：
前記複数のエレメントが光源を含み；
前記複数のエレメントがさらに、調節可能な接続部を含み、前記調節可能な接続部が、前記対応するエレメントをそれぞれの支持体に接続し、前記対応するエレメントをそれぞれの支持体に関して前記対応するエレメントを調節可能に位置付けし、前記複数のエレメント全数の少なくとも部分が実質的に正多角形状であり、及び／又は前記複数のエレメントが共にオープン構造を形成し、前記正多角形状及びオープン構造が少なくとも３つの調節可能な接続を含み、実質的に個々に調節可能である、照明システムする。
【手続補正３】
【補正対象書類名】明細書
【補正対象項目名】００４２
【補正方法】変更
【補正の内容】
【００４２】
「支持体へ調節可能に接続される複数のエレメントを含む照明システム」なる用語及び類似の句は、実際のエレメント数が実際の支持体の数とは異なる場合も含む。ここで「調節可能に接続される」とは、エレメントと前記支持体との接続が調節可能であることを意味する。
ＷＯ０３／０３５９９１Ａ２には照明システムが開示され、該照明システムは、格子上に設けられた複数の支持体に調節可能に結合された複数のエレメントを含み、それぞれのエレメントが光源及び調節可能な接続部を含む。
【国際調査報告】
2012524367.tif 000032
2012524367.tif 000033